(57)【要約】      （修正有）【課題】スライドファスナを個別化できるように改善することを目的とする。【解決手段】スライドファスナは、一対のテープ１、上ストップ、下ストップ及びテープの縁部に配置されたファスナの歯部３の列２、４を備える。列は、ファスナの歯部の列の間隔に位置し、ファスナの歯部の列の連続性を復元し少なくとも一つの一対のダミー歯部５、６を有する。この構成により、スライダの自由な移動を可能にし、同時にファスナの歯部の列に顕著な特徴が提供される。【選択図】図１
2011240144.tif 000002
【特許請求の範囲】
【請求項１】
一対のテープ（１）、上ストップ、下ストップ、一方の前記テープの縁部に配置されたファスナの歯部（３）の第１列（２）、及び他方の前記テープの縁部に配置されたファスナの歯部（３）の第２列（４）を備え、前記第１列の前記ファスナの歯部は、前記第２列の前記ファスナの歯部と噛み合い及び分離して前記スライドファスナを開閉するスライドファスナであって、
ａ）前記上ストップ及び前記下ストップの間の前記スライドファスナの少なくとも一つの位置において、前記第１列（２）の二つの連続したファスナの歯部（３ａ、３ｂ）が離れて配置され、前記第２列（４）の二つの連続したファスナの歯部（３ｃ、３ｄ）が離れて配置されることにより前記歯部の第１列（２）における間隔と前記歯部の第２列（４）における間隔とが形成され、前記第１列の前記間隔は、前記第２列の前記間隔と向かい合っていて、
ｂ）第１ダミー歯部（５）及び第２ダミー歯部（６）が前記テープ（１）に連結され、前記第１列及び前記第２列の前記間隔にそれぞれ埋められていて、前記第１ダミー歯部（５）及び前記第２ダミー歯部（６）は、前記ファスナの歯部（３）の前記列（２、４）の連続性の復元に適応していて、前記スライダを自由に移動させることができるスライドファスナ。
【請求項２】
前記ダミー歯部（５、６）は、前記スライドファスナの特有の要素をサポートするのに適した少なくとも一つの表面（１６）を有する請求項１に記載のスライドファスナ。
【請求項３】
前記ダミー歯部は、前記ファスナの歯部とは異なる大きさ、形、色、材料又は大きさ、形、色又は材料の組み合わせを有し、前記ダミー歯部は、前記スライドファスナの特有の要素を提供する請求項１に記載のスライドファスナ。
【請求項４】
前記第１及び第２ダミー歯部（５、６）は、前記スライドファスナの縦方向において前記スライドファスナの前記ファスナの歯部（３）よりも大きい、請求項１〜３のいずれかに記載のスライドファスナ。
【請求項５】
前記第１及び第２ダミー歯部は、スライダ（７）の方向に垂直な横方向において実質的に強固な噛み合わせ部（１９、２０、２１、２２）を提供する請求項１〜４のいずれかに記載のスライドファスナ。
【請求項６】
前記ダミー歯部のそれぞれは、中心部、上腕部及び下腕部によって構成される請求項１〜５のいずれかに記載のスライドファスナ。
【請求項７】
前記ダミー歯部の前記上腕部及び／又は前記下腕部は、特有の要素を備えるのに適した平坦な表面（１６）を有する請求項６に記載のスライドファスナ。
【請求項８】
前記第１及び第２ダミー歯部のうち一方の前記下腕部は、他方の前記下腕部より大きく、前記中心部（１１）を超えて伸びた端部（１５Ａ）を有する請求項６に記載のスライドファスナ。
【請求項９】
前記ダミー歯部は使用中の感触を作り出す磁気部を有する請求項１〜８のいずれかに記載のスライドファスナ。
【請求項１０】
前記ダミー歯部の少なくとも一つは、前記スライドファスナの蒸発作用（ｔｒａｎｓｐｉｒａｔｉｏｎ）を提供する一以上の孔を有する請求項１〜９のいずれかに記載のスライドファスナ。
【請求項１１】
前記ダミー歯部は、前記スライドファスナに追加の機能をもたらす電気的接点の役を務める請求項１〜１０のいずれかに記載のスライドファスナ。
【請求項１２】
前記ダミー歯部は、発光部又は反射部を有し、特有の要素又は夜間視認性を提供する請求項１〜１１のいずれかに記載のスライドファスナ。
【発明の詳細な説明】
【技術分野】
【０００１】
本発明は、スライドファスナに関する。本発明は、スライドファスナを個別化しスライドファスナにラベルを付けるための技術を開示する。
【背景技術】
【０００２】
スライドファスナは、基本的に、一対のテープ、各テープの縁に配置された歯部の列、上ストップ、下ストップ及びプルタブを有するスライダを備える。テープは、布又はプラスチック材料で作られている。歯部、上ストップ、下ストップ及びスライダは、通常金属製又はプラスチック製である。歯部は、スライダの動きに応じて、互いに噛み合い又は分離できる接合端部を有する。
【０００３】
スライドファスナは、美の目的及び／又は製品の個別化のために、装飾的な要素、ロゴ又は商標等を備えることがたびたび要求される。これは、特に高級スライドファスナを扱うファッション産業によって要求されている。
【０００４】
テープは、装飾的な要素又はロゴを都合よくサポートするものではない。現在のところ、このような要素を備えるのに適したスライドファスナの部分は、上トップ、下ストップ、スライダ及びプルタブである。例えば、シンボル、商標又はロゴを、金属性のストップ、スライダ又はプルタブに印刷又は彫刻できる。この目的に適した他の部分はみられない。特に歯部は、とても小さく、よってスライドファスナを閉じた状態で噛み合っている歯部の列は、常に実質的に同じ外観を有する。
【０００５】
また、スライドファスナを閉じた状態では、上ストップ、下ストップ、及びスライダは、スライドファスナの端部にあり、それほど目立たないことに留意すべきである。従って、例えば衣服を着ている場合には、従来ではスライドファスナに認識可能な外観を持たせることのできる可能性はほとんどない。
【発明の開示】
【発明が解決しようとする課題】
【０００６】
本発明は、スライドファスナを個別化できるように改善することを目的とする。本発明は、ファスナの歯部によって形成された列の中間位置において、視覚的に特有な要素を提供する。これは、スライドファスナの各列のファスナの歯部の二つの間であって、スライドファスナの少なくとも一つの中間位置においてダミー歯部が提供されることによって達成される。
【課題を解決するための手段】
【０００７】
上記問題は、一対のテープ、上ストップ、下ストップ、一方のテープの縁部に配置されたファスナの歯部の第１列、及び他方のテープの縁部に配置されたファスナの歯部の第２列を備えるスライドファスナによって解決される。第１列のファスナの歯部は、第２列の前記ファスナの歯部と噛み合い及び分離してスライドファスナを開閉する。スライドファスナは、以下を特徴とする。
ａ）上ストップ及び下ストップの間のスライドファスナの少なくとも一つの位置において、第１列の二つの連続したファスナの歯部及び第２列の二つの連続したファスナの歯部は、離れて配置され、従って歯部の第１列における間隔及び歯部の第２列における間隔が形成され、第１列の間隔は第２列の間隔と向かい合っている。
ｂ）第１ダミー歯部及び第２ダミー歯部が、テープに連結され、第１列及び第２列の間隔にそれぞれ埋め込まれる。第１ダミー歯部及び第２ダミー歯部は、ファスナの歯部の列の連続性の復元に適応していて、スライダを自由に移動させることができる。
上記ポイントａ）による一以上の中間に位置する間隔が提供される。好ましくは、中間間隔は、実質的にスライドファスナの中央に位置していてもよいが、どのような位置でもよい。衣服において、例えば一対のダミー歯部は、好ましくは上半分に位置する。これば、衣服を着たときにより目立つように上ストップにより近くに位置することを意味する。
【０００８】
上記ポイントｂ）で開示されたダミー歯部は、ファスナテープと連結していて、ファスナの歯部のそれぞれの列の間隔を埋める代用要素として意図されている。この要素は、従来のスライドファスナの歯部のようにギアのような方法によって接合部で互いに噛み合う必要はない。しかし、ある実施形態においては、ダミー歯部はスライドファスナを強化する噛み合い部を相互に有していてもよい。
【０００９】
ダミー歯部は、好ましくはテープの配列を維持し、スライドファスナの開放の防止に適した噛み合い部を提供してもよい。噛み合い部は、好ましくは少なくとも横方向において、例えばスライダの方向に対して垂直の方向において実質的に強固である。好ましい実施形態において、スライドファスナの一つの間隔に配置された第１及び第２ダミー歯部は、横方向において実質的に強固な噛み合いをもたらす少なくとも雄部及び雌部で形成された連結手段を有する。 
【００１０】
好ましくは、ダミー歯部は、スライドファスナの縦方向においてスライドファスナの歯部より大きい。ダミー歯部は通常の歯部より大きいので、認識容易でありファスナを個別化できる。
【００１１】
好ましい実施形態において、本発明によるダミー歯部は、中心部、上腕部及び下腕部によって構成される。上腕部は、使用中においては衣服又はスライドファスナを備える品物の外側にあり、一方で下腕部は内側にある。上腕部及び／又は下腕部は、特有の要素を備えるのに適した平坦な表面を有する。例えば、ロゴ又は商標等を上腕部及び／又は下腕部上に印刷又は彫刻できる。より好ましくは、上腕部及び下腕部は、ファスナテープの縁を安全に保持する縁フランジを有する。
【００１２】
ダミー歯部の顕著な特徴は、あらゆる方法で達成し得る。例えば、形、色、材料、又はこれらの組み合わせを用いて達成し得る。例えば、スライドファスナが閉められ、二つのダミー歯部が互いに向き合った場合に、ダミー歯部は、所定の文字、数字又はロゴを示すように構成されてもよい。従って、特有の要素が、ひと続きの歯部の中間位置において、例えば中央において形成され、容易に目立ち、スライドファスナの特有の外観を非常に良くする。例えば、あるロゴ又はマークは、スライドファスナが閉じられたときにロゴが構成されるように、一方のダミー歯部に半分、他のダミー歯部に半分というように表示されたり形成されたりすることができる。ある実施形態においては、左右のダミー歯部は、互いに接近している場合にダミー歯部自体で、例えばシンボル又は文字等の商標又はロゴを形成するような形を有する。
【００１３】
ダミー歯部は、顕著性を高めるために、スライドファスナの他の部分、すなわち噛み合い歯部及びストップの材料とは異なる原料及び／又は色から形成されていてもよい。
【００１４】
各一対の左右ダミー歯部は、同じである必要はない。本発明のある実施形態において、二つのダミー歯部は異なる。好ましい実施形態において、下腕部は、ファスナの歯部の間の間隔を完全に埋めるために上腕部より大きく形成される。
【００１５】
本発明によるスライドファスナは、例えば、ファスナの歯部の列を備えるファスナテープを作成するステップ、ファスナテープの少なくとも一つの選択された位置において選択された数のファスナの歯部を取り除き、ファスナの歯部の列に間隔を形成するステップ、及び前述の間隔を埋めるようにファスナテープにダミー歯部を取り付けるステップによって製造される。
【００１６】
本発明のさらなる態様では、上記のダミー歯部は、追加の機能をサポートできる。適例な実施形態によると、ダミー歯部は、スライダを動かすために必要とされる力の変化のような金属製のスライダの操作の際の感触を作り出す磁気部を有していてもよい。また、ダミー歯部は、蒸発作用（ｔｒａｎｓｐｉｒａｔｉｏｎ）を提供する一以上の孔を有していてもよい。ダミー歯部は、スライドファスナの開放というような一定の動作を検知する電気的接点の役を務めてもよい。ダミー歯部は、さらなる特有の効果又は夜間視認性を提供するために、発光部又は反射部をサポートしてもよい。例えば、本発明によるスライドファスナによると、電気的接点を備える一対のダミー歯部は、上ストップに近い位置に設けられ、スライドファスナの開放を検知するために使用されることができる。
【発明の効果】
【００１７】
本発明による主な利点は、スライドファスナを個別化し又はスライドファスナにラベルを付けるための新規なオプションを与えることにある。視覚的に顕著な効果は、ファスナの歯部の列における特性から得られるが、ダミー歯部の供給によりスライダの通常の操作は可能である。
【００１８】
また、上記一以上の一対のダミー歯部を提供することにより、通常のファスナと比べて多数の付加的なオプション機能が可能になる。他の利点は、ダミー歯部がひと続きの噛み合い歯部を実質的に復元しスライダを自由に移動させるので、本発明ではスライダを大幅に変更する必要がない点にある。従って、従来のスライダを使用できる。他の利点は、ひと続きの歯部が、特にダミー歯部が横方向においてスライドファスナの開放に反して噛み合っている場合に、著しく弱まることはない点にある。本発明のこれら及びさらなる利点は、表示され本発明を限定することのない例として挙げられた下記の詳細な説明からより明らかとなる。
【図面の簡単な説明】
【００１９】
【図１】ファスナ要素の列の間隔を埋める一対のダミー歯部を備える本発明の実施形態によるスライドファスナの平面図である。
【図２】図１のスライドファスナの詳細を示す図である。
【図３】図１及び図２のスライドファスナの断面図である。
【図４】図１〜図３のスライドファスナの一対のダミー歯部の斜視図である。
【図５】本発明の１実施形態による、図４に示すダミー歯部５を示す図である。
【図６】本発明の１実施形態による、図４に示すダミー歯部５を示す図である。
【図７】本発明の１実施形態による、図４に示すダミー歯部６を示す図である。
【図８】本発明の１実施形態による、図４に示すダミー歯部６を示す図である。
【図９】スライドファスナの詳細を示す側面図である。
【図１０】好ましい実施形態の一つによる、文字を示すダミー代用歯部を有するスライドファスナの上面図である。
【発明を実施するための最良の形態】
【００２０】
図１のスライドファスナは、一対のテープ１、上ストップ、下ストップ、一方のテープ１の縁に配置されたファスナの歯部３の第１列２、及び他のテープ１の縁に配置されたファスナの歯部３の第２列４を備える。第１列２の歯部は、スライダ７の動きに応じて、第２列４の歯部と噛み合い及び分離して、スライドファスナを開閉できる。
【００２１】
第１列２及び第２列４の二つの連続したファスナの歯部は、適当に離れて配置され、テープ１にそれぞれ連結した第１ダミー歯部５及び第２ダミー歯部６によって埋められる間隔を形成する。
【００２２】
図２を参照すると、ファスナの歯部３ａと３ｂとは離れていて、第１列２においてダミー歯部５が挿入される第１間隔が形成されている。他の第２列４のファスナの歯部３ｃと３ｄとは離れていて、ダミー歯部６が挿入される第２間隔が形成されている。 
【００２３】
ダミー歯部５及び６は、特にスライダ７をスライドさせるために、第１列２及び第２列４の連続性を復元するのに適応した要素である。
【００２４】
この例において（図２参照）、ファスナの歯部３ａ、３ｂ間の間隔は、前述したファスナの歯部３ａ及び３ｂの間において、第１列２における二つのファスナの歯部の復元に相当する。他の第２列４のファスナの歯部３ｃ、３ｄ間の間隔は、一つの歯部の復元に相当する。より一般的には、ファスナの歯部３は交互に並ぶので、要素５及び６のための間隔は、第１列２のような一列において不足している「ｎ」ファスナの歯部３及び第２列４のような他の列において不足している「ｎ＋１」ファスナの歯部３に相当する。
【００２５】
図に示されるとおり、ダミー歯部５、６は、スライドファスナの縦方向においてファスナの歯部３よりも大きい。
【００２６】
図３及び４は、ダミー歯部５及び６の好ましい実施形態を示す。ダミー歯部５、６は、中心部１０、１１、上腕部１２、１３及び下腕部１４、１５で構成される。上腕部１２及び１３は、使用時には衣服又はスライドファスナを備える品物の外側にあり、一方で下腕部１４及び１５は内側にある。
【００２７】
上腕部及び／又は下腕部は、好ましくは特有の要素を備えるのに適した平坦な表面１６を有する。例えば、ロゴ又は商標等を上腕部及び／又は下腕部の表面１６上に印刷したり彫刻したりできる。
【００２８】
より好ましくは、上腕部及び下腕部は、図３の断面図に描かれているように、テープ１のファスナの縁部１８を安全に保持する縁フランジ１７を有する。側縁部１８は、上腕部１２、１３及び下腕部１４、１５によって、好ましくは図３に示されるようにファスナテープの側縁部１８を保持するために湾曲した下腕部１４及び１５の変形によってクランプされている。
【００２９】
ダミー歯部５、６の中心部１０、１１の内面は、好ましくはファスナ要素３が欠けている場合に、ダミー歯部のゾーンにおけるスライドファスナが開放することを防ぐための連結手段を有する。図中、連結手段は、突出部１９及び２０と、凹部２１、２２とで形成される。好ましい実施形態においては、中心部はまた、縁部１８を圧迫することによりファスナテープ１との接続の強さを改良する突起部２３を外側面に有する。
【００３０】
各一対の左右のダミー歯部５，６は、同じ形である必要はない。好ましい実施形態においては、一つのダミー歯部の下腕部は、他の下腕部より大きい。図５〜８は、ダミー歯部６が、ダミー歯部５の下腕部１４より大きい下腕部１５を有することを示す。下腕部１５は、二つのファスナの歯部３の間の左側のスペースＳ（図９参照）を適切に覆うために中心部１１を超えて伸びた端部１５Ａを有する。 
図１０は、スライドファスナを閉めたときにダミー歯部５、６が文字「Ｈ」を形成するような形をした適例な実施形態を示す。
【図１】
2011240144.tif 000003
【図２】
2011240144.tif 000004
【図３】
2011240144.tif 000005
【図４】
2011240144.tif 000006
【図５】
2011240144.tif 000007
【図６】
2011240144.tif 000008
【図７】
2011240144.tif 000009
【図８】
2011240144.tif 000010
【図９】
2011240144.tif 000011
【図１０】
2011240144.tif 000012